(57)【要約】【課題】起動スイッチが故障した状態ではマンコンベアの再起動をすることができないようにして、安全性の向上を図ることができる、マンコンベアの起動スイッチ故障検出装置を得る。【解決手段】電源投入時に起動スイッチがオン状態の場合や、起動スイッチのオン状態が所定時間以上継続した場合に、起動スイッチの故障として検出する故障検出手段と、前記故障検出手段による起動スイッチの故障検出に応じてマンコンベアの起動を阻止する起動阻止手段とを備えた。【選択図】図１
2005082300.tif 000002
【特許請求の範囲】
【請求項１】
マンコンベアの起動スイッチの故障を検出する故障検出手段と、前記故障検出手段による故障検出に応じてマンコンベアの起動を阻止する起動阻止手段とを備えたことを特徴とするマンコンベアの起動スイッチ故障検出装置。
【請求項２】
電源投入時に起動スイッチがオン状態の場合、故障として検出する故障検出手段を備えたことを特徴とする請求項１に記載のマンコンベアの起動スイッチ故障検出装置。
【請求項３】
起動スイッチのオン状態が、所定時間以上継続した場合、故障として検出する故障検出手段を備えたことを特徴とする請求項１に記載のマンコンベアの起動スイッチ故障検出装置。
【請求項４】
前記故障検出手段により運転中に故障を検出された場合、直ちに運転を停止させず、次の停止動作後の再起動を阻止する起動阻止手段を備えたことを特徴とする請求項１または請求項３に記載のマンコンベアの起動スイッチ故障検出装置。
【発明の詳細な説明】
【技術分野】
【０００１】
この発明は、エスカレータ、移動歩道等のマンコンベアに設置される安全装置に関するものである。
【背景技術】
【０００２】
従来のマンコンベア運転制御装置は、図２に示すこの発明による実施の形態における回路構成と同様の回路構成を有している（例えば、特許文献１参照）。
この回路には、マンコンベア運転操作を行う上昇起動スイッチＵＰ、下降起動スイッチＤＮ、停止スイッチＳＴＯＰと、それらスイッチ入力信号を認識して情報伝達する入力装置１を備えている。また、入力装置１からのスイッチ情報を取り込んで運転制御を司る制御装置２と安全装置３の動作を検出してマンコンベアを停止させる安全回路を備えている。なお、上昇起動スイッチＵＰ、下降起動スイッチＤＮ、および、停止スイッチＳＴＯＰは操作している時だけオンとなり手を放せばオフとなる自動復帰式のものを使用している。
【０００３】
このようなマンコンベアにおいて、安全装置３が不動作、つまり正常である場合に安全回路リレーＸは動作して運転準備完了する。この状態で、上昇起動スイッチＵＰを操作することによりスイッチオン信号が入力装置に伝わり、入力装置はスイッチオンオフ状態を認識し、その情報を制御装置２に伝える。制御装置２は入力装置１から受けたスイッチ情報に基づき、上昇起動運転リレーＵと走行リレーＲを状況に応じて動作させる。
【０００４】
従来のマンコンベア運転停止の動作は次の通りである。初期を電源が切れている状態としている。この状態において電源を投入した後、安全装置が不動作、つまり正常である場合に安全回路リレーＸが動作して運転準備完了状態となる。その後、上昇起動スイッチＵＰもしくは下降起動スイッチＤＮをオン操作すればマンコンベアは起動し運転状態となり、停止スイッチＳＴＯＰのオン操作や安全装置が動作するまで運転を継続し、停止スイッチＳＴＯＰのオン操作があれば停止させる。また安全装置が動作した状態で電源を投入すれば、起動阻止状態となり起動スイッチをオン操作しても受け付けず、安全装置が正常復帰するまでこの状態を保持する。
【０００５】
【特許文献１】特開平１０−７３６１号公報
【発明の開示】
【発明が解決しようとする課題】
【０００６】
マンコンベアの電源が切れている状態に、上昇起動スイッチＵＰ、下降起動スイッチＤＮが何らかの原因で故障して、操作していないにもかかわらずオンとなった場合には、マンコンベアは電源投入時点で勝手に起動することになる。
【０００７】
また、運転中に上昇起動スイッチＵＰもしくは下降起動スイッチＤＮが何らかの原因で故障して、操作していないにもかかわらずオンとなった場合には、停止スイッチＳＴＯＰをオン操作すればマンコンベアは停止するが、手を放せば故障した起動スイッチが有効となるため動き出すことになる。
【０００８】
さらに、上昇運転中に下降起動スイッチＤＮがオン故障した状態で停止スイッチＳＴＯＰを操作した場合には、停止動作後、勝手にスイッチ操作以前と逆方向へ動き出すことも考えられる。
【０００９】
この発明は、上述のような課題を解決するためになされたもので、起動スイッチが故障した状態ではマンコンベアの起動が抑制され安全性を向上できるマンコンベアの起動スイッチ故障検出装置を提供するしようとするものである。
【課題を解決するための手段】
【００１０】
この発明に係るマンコンベアの起動スイッチ故障検出装置では、マンコンベアの起動スイッチの故障を検出する故障検出手段と、前記故障検出手段による故障検出に応じてマンコンベアの起動を阻止する起動阻止手段とを備えたものである。
【発明の効果】
【００１１】
この発明によれば、起動スイッチが故障した状態ではマンコンベアの起動が抑制され安全性を向上できるマンコンベアの起動スイッチ故障検出装置を提供することができる。
【発明を実施するための最良の形態】
【００１２】
実施の形態１．
この発明による実施の形態１を図１および図２について説明する。図１は、実施の形態１における動作を示す運転停止のフローチャート図である。図２は実施の形態１におけるマンコンベア運転制御装置の概略回路図である。
【００１３】
図２は、従来装置と同様の構成を持つマンコンベア運転制御装置の概略回路を示す図である。この回路には、マンコンベア運転操作を行う上昇起動スイッチＵＰ、下降起動スイッチＤＮ、停止スイッチＳＴＯＰとそれらスイッチ入力信号を認識して情報伝達する入力装置１を備えている。また、入力装置１からのスイッチ情報を取り込んで運転制御を司る制御装置２と安全装置３の動作を検出してマンコンベアを停止させる安全回路を備えている。なお、上昇起動スイッチＵＰ、下降起動スイッチＤＮ、および、停止スイッチＳＴＯＰは操作している時だけオンとなり手を放せばオフとなる自動復帰式のものを使用している。
【００１４】
このようなマンコンベアにおいて、安全装置３が不動作、つまり正常である場合に安全回路リレーＸは動作して運転準備完了する。この状態で、上昇起動スイッチＵＰを操作することによりスイッチオン信号が入力装置に伝わり、入力装置１はスイッチオンオフ状態を認識し、その情報を制御装置２に伝える。制御装置２は入力装置１から受けたスイッチ情報に基づき、上昇起動運転リレーＵと走行リレーＲを状況に応じて動作させる。
【００１５】
図１は発明の実施の形態を示すマンコンベア運転停止のフローチャート図であり、初期を電源が切れている状態としている。この状態において電源を投入した後、上昇起動スイッチＵＰもしくは下降起動スイッチＤＮの状態を電源投入時故障検出手段でチェックしオン状態を検出した場合は故障と判定して起動を阻止する。これは従来の運転準備完了条件に起動スイッチのチェックを入れるものである。
【００１６】
また、運転準備完了して上昇起動スイッチＵＰもしくは下降起動スイッチＤＮをオン操作後マンコンベアは起動し、停止スイッチＳＴＯＰのオン操作まで運転する。起動から停止までの運転中に起動スイッチ状態をチェックし、起動スイッチオンを確認後にオン時間を計測する。オンが所定時間続いたら継続動作状態故障検出手段で起動スイッチがオン故障と判定してオン時間の計測を止め異常モードとするが、即時に停止せず運転を継続する。停止スイッチＳＴＯＰにより停止した後に起動を阻止する。また起動スイッチオンを確認後、オンが所定時間に未達であった場合は、オン検出と時間をリセットして、再起動スイッチの状態をチェックする。
【００１７】
起動スイッチの故障判定後に起動を阻止した状態を継続するため、マンコンベアの運転を不能とする。この状態を解除するには、電源を再投入してリセットした後、起動スイッチが正常に復帰したことを確認されなければならない。その後、起動スイッチを有効にして運転再開が可能となる。
【００１８】
以上説明した通り、この発明による実施の形態では、起動スイッチが故障した状態でマンコンベアの再起動をすることができず安全性の向上を図ることができる。
また、運転中に起動スイッチの故障が発生した場合、直ちに停止させず運転を継続するため、従来と同レベルの利便性を確保できる。
【００１９】
この発明による実施の形態によれば、マンコンベアの起動スイッチの故障を検出する故障検出手段と、前記故障検出手段による故障検出に応じてマンコンベアの起動を阻止する起動阻止手段とを備え、前記故障検出手段として、電源投入時に起動スイッチがオン状態の場合、故障として検出する電源投入時故障検出手段を設けたので、電源投入時に起動スイッチが故障した状態ではマンコンベアの起動が抑制され安全性を向上できるマンコンベアの起動スイッチ故障検出装置を提供することができる。
【００２０】
また、この発明による実施の形態によれば、マンコンベアの起動スイッチの故障を検出する故障検出手段と、前記故障検出手段による故障検出に応じてマンコンベアの起動を阻止する起動阻止手段とを備え、前記故障検出手段として、起動スイッチのオン状態が、所定時間以上継続した場合、故障として検出する動作継続状態故障検出手段を設けたので、起動スイッチが故障した状態ではマンコンベアの起動が抑制され安全性を向上できるととともに、起動スイッチの故障検出を的確に行えるマンコンベアの起動スイッチ故障検出装置を提供することができる。
【００２１】
そして、この発明による実施の形態によれば、前項の構成において、前記故障検出手段により運転中に故障を検出された場合、直ちに運転を停止させず、次の停止動作後の再起動を阻止する起動阻止手段を備えたので、起動スイッチが故障した状態ではマンコンベアの起動が抑制され安全性を向上できるとともに、運転中に起動スイッチの故障が発生した場合、直ちに停止させず運転を継続して利便性を確保できるマンコンベアの起動スイッチ故障検出装置を提供することができる。
【図面の簡単な説明】
【００２２】
【図１】この発明による実施の形態における動作を示す運転停止のフローチャート図である。
【図２】この発明による実施の形態におけるマンコンベア運転制御装置の概略回路図である。
【符号の説明】
【００２３】
１  入力装置、２  制御装置、３  安全装置、ＵＰ  上昇起動スイッチ、ＤＮ  下降起動スイッチ、ＳＴＯＰ  停止スイッチ。
【図１】
2005082300.tif 000003
【図２】
2005082300.tif 000004